(57)【要約】【課題】  据え置きレコーダにて記録した未視聴の番組を車両等の移動体で、視聴する場合に、光ディスクの記録容量制限による映像データの劣化、移動する番組をユーザーが選択する作業が発生、移動先で視聴した番組については据え置き型レコーダでは未視聴のままであり、従来の記録メディアの残量管理等の機能において不都合が生じる。【解決手段】  放送信号を受信し、該受信した放送信号を再生する放送対応部と、該受信した放送信号を記録する第１の記録再生部と、可搬性を有した第２の記録再生部とからなる記録再生装置であって、該放送信号の記録時に、再生の履歴を示す符号を同時に記録し且つ、第１及び第２の記録再生部で該履歴符号を制御可能とすることを特徴とする。【選択図】図１
2007184673.tif 000002
【特許請求の範囲】
【請求項１】
放送信号を受信し、該受信した放送信号を再生する放送対応部と、
該受信した放送信号を記録する第１の記録再生部と、
可搬性を有した第２の記録再生部とからなる記録再生装置であって、
該放送信号の記録時に、再生の履歴を示す符号を同時に記録し且つ、
第１及び第２の記録再生部で該履歴符号を制御可能とすることを特徴とする記録再生装置。
【請求項２】
請求項１記載の記録再生装置において、
第１及び第２の記録再生部が磁気ディスク装置もしくは、光ディスク装置であることを特徴とする記録再生装置。
【請求項３】
放送信号を受信し、該受信した放送信号を再生する放送対応部と、
該受信した放送信号を記録する第１の記録再生部と、
可搬性を有した第２の記録再生部とからなる第１の記録再生装置と、
可搬性を有した第３の記録再生部を有した第２の記録再生装置からなる記録再生装置において、
該放送信号の記録時に、再生の履歴を示す符号を同時に記録し且つ、
第１及び第２の記録再生装置で該履歴符号を共有し且つ制御可能とすることを特徴とする記録再生装置。
【請求項４】
請求項３記載の記録再生装置において、
該第１の記録再生装置で記録した放送信号を、該第２の記録再生部に移動し、且つ、該第３の記録再生部により、該第２の記録再生部から再生した放送信号を該第２の記録再生装置において再生するとともに、第３の記録再生部が再生履歴符号を更新することを特徴とする記録再生装置。
【請求項５】
請求項３記載の記録再生装置において、
該第２の記録再生部を介して、該第３の記録再生部に移動する放送信号は、
再生履歴符号が未視聴を示す放送信号であることを特徴とする記録再生装置。
【請求項６】
請求項３記載の記録再生装置において、
該第２の記録再生部から該第１の記録再生装置に移動する放送信号は、
再生履歴符号が視聴済みを示す放送信号であることを特徴とする記録再生装置。
【請求項７】
請求項３記載の記録再生装置において、
該第２の記録再生部から該第１の記録再生装置に移動する放送信号は、
再生履歴符号が未視聴を示す放送信号であることを特徴とする記録再生装置。
【請求項８】
請求項３記載の記録再生装置において、
該第２の記録再生装置が少なくとも映像および音声信号が再生可能な車載装置であることを特徴とする記録再生装置。
【請求項９】
請求項３記載の記録再生装置において、
該第２の記録再生装置が少なくとも映像および音声信号が再生可能な携帯端末装置であることを特徴とする記録再生装置。
【請求項１０】
請求項１もしくは請求項３記載の記録再生装置において、
記録した放送信号の１／２以上再生した場合に視聴符号を設定することを特徴とした記録再生装置。
【請求項１１】
放送信号を受信し、該受信した放送信号を再生する放送対応部と、
該受信した放送信号を記録媒体に記録再生する第１の記録再生部と、
可搬性を有した記録媒体に記録再生する第２の記録再生部とからなる記録再生装置であって、
該放送信号の記録時に、再生の履歴を示す符号を同時に記録し且つ、
第１及び第２の記録再生部で該履歴符号を制御可能とすることを特徴とする記録再生装置。
【発明の詳細な説明】
【技術分野】
【０００１】
本発明は、記録再生装置に関する。
【背景技術】
【０００２】
本技術分野の背景技術として、例えば、特開２００２−４４５８４号公報（特許文献１）がある。該公報には、課題として「ユーザが興味を持っていないコンテンツを自動的に削除する。」と記載され、解決手段として「ステップＳ１で、仮想チャンネルの過去にスケジューリングされているコンテンツが抽出され、ステップＳ２で、そのうちの1つのコンテンツが選択され、ステップＳ３で、そのコンテンツが再生可能状態ではないと判断された場合、処理はステップＳ７に進み、再生可能状態であると判断された場合、ステップＳ４で、対応するコンテンツは既に未来にｎ回（視聴機会として充分な回数）スケジューリングされたか否かが判断される。ｎ回に満たない場合、ステップＳ５で、そのコンテンツは次回スケジューリング時に未来に配置され、ｎ回であれば、ステップＳ６で、そのコンテンツは削除予定状態とされる。ステップＳ７で、抽出されたコンテンツの処理がすべて終了していないと判断された場合、処理はステップＳ２に戻り、終了したと判断された場合、処理が終了される。」と記載されている。
【０００３】
また、他の背景技術として、例えば、特開２００５−９８８３１号公報（特許文献２）がある。該公報には、課題として「本発明は、車載装置及びコンテンツ提供方法に関し、例えばナビゲーション装置の機能とビデオの再生機能とを有するマルチメディア端末に適用して、ナビゲーション機能、ビデオの再生機能を有する機器等に関して、ユーザーによる使い勝手を向上することができるようにする。」と記載され、解決手段として「本発明は、ソース切り換えの操作子１３Ｐ、１３Ｒによっても地図の表示からソースの表示に表示を切り換える。また上位階層と下位階層とのメニューを同時に表示してタッチパネル、リモートコマンダーによる操作を受け付ける。また押圧操作可能な主の回転操作子に加えて、押圧操作可能な副の回転操作子を側面に設け、主の回転操作子により受け付ける操作のうち、コンテンツの処理に係る特定の操作だけこの副の回転操作子で操作を受け付ける。」と記載されている。
【０００４】
【特許文献１】特開２００２−４４５８４号公報
【特許文献２】特開２００５−９８８３１号公報
【発明の開示】
【発明が解決しようとする課題】
【０００５】
現在地上波アナログ放送に加え、ディジタル放送に対応する記録再生装置として、ハードディスクドライブ装置（以後ＨＤＤと呼ぶ）や光ディスクを記録メディアとするレコーダが製品化されている。これらの記録容量は、従来の磁気テープと比べ、膨大な数のコンテンツを蓄積することが可能となってきている。そのため、ユーザに対しては、録画した番組（コンテンツ）データを管理するにあたり、自分自身で視聴したか否かを示すステータスを記録情報に付加することにより、不必要なデータの削除等の残量管理などの補助機能としている。
【０００６】
一方、自動車などには、チューナ一体型のカーオーディオシステム装置やテレビジョン受像機やカーナビゲーション装置が搭載され使用されている。
【０００７】
カーナビゲーション装置の地図データやガイド情報等の各種情報を記録しておくメディアとしては、カーナビゲーション装置に据え置き型のＨＤＤや着脱可能な光ディスク、ディスクカートリッジが用いられている。
【０００８】
これらの記録メディアには、ナビゲーション情報とは別に音楽データや映像データ等のコンテンツも記録可能であり、例えば運転席と助手席との間に設けられたモニタ装置でカーナビゲーション装置による画像を表示し、後席に設けたモニタ装置でテレビジョン放送番組や映像データを表示するようになされている。
【０００９】
このようなカーオーディオシステム装置によれば、車両による移動中でも、所望する番組を視聴することができる。
【００１０】
このような映像データの取り扱いが容易になりつつある環境下において、据え置き型のレコーダにて記録した映像データを、車で移動中もしくは移動先で視聴したいという訴求がある。さらには、据え置き型レコーダで記録した映像データで未視聴のものについて、移動先で視聴することが要求される可能性がある。
【００１１】
特許文献１と特許文献２の組み合わせ、可搬性のメディアに光ディスクを用いることで実現した場合においては、光ディスクの記録容量制限による映像データの劣化が生じる。また、移動する番組をユーザーが選択する作業が発生し使い勝手が悪い。また、移動先で視聴した番組を据え置き型レコーダに戻した場合、その番組は視聴された情報は持たない為、未視聴のままとなり、従来の記録メディアの残量管理等の機能においても不都合が生じるといった課題が挙げられる。
【００１２】
本発明の目的は、記録再生装置の使い勝手向上である。
【課題を解決するための手段】
【００１３】
上記目的は特許請求の範囲に記載の発明により達成される。
【発明の効果】
【００１４】
本発明によれば、記録再生装置の使い勝手が向上する。
【発明を実施するための最良の形態】
【００１５】
以下本発明による記録再生装置の実施形態について説明する。
【実施例１】
【００１６】
(概略構成)：ムーブ先のレコーダで管理情報を変更可能なシステム
図１は、ＨＤＤや光磁気ディスクなどの記録媒体に、ディジタル放送もしくはアナログ放送などのコンテンツを記録し、記録したコンテンツを再生して、デコード処理，描画処理を行い、視聴する記録再生装置の一実施例を示すブロック図である。
【００１７】
図中１００は放送受信部を搭載した記録再生装置であり、制御部１１２を介して着脱可能な例えばカートリッジ型のハードディスクや光ディスクなどの可搬性記録メディア２００と接続可能とする。
【００１８】
また図中３００は、同じくＨＤＤや光ディスクに予め記録されている地図情報や位置情報を元にナビゲーションを行う車載装置を示す。該車載装置３００には、該記録再生装置１００と同じく可搬性記録メディアを着脱可能な制御部１１２を備える。
【００１９】
この構成により、記録再生装置１００で記録したコンテンツを、記録メディア２００に移動し、該記録メディア２００を車載装置３００の制御部１１２に接続する。該車載装置３００において記録メディア２００に記録されたコンテンツを再生することにより、例えば車等で外出時に外出先でコンテンツの視聴が可能となる。
（管理情報の構成例）
図２は記録再生装置１００に記録されたコンテンツの管理情報を示す図である。
コンテンツを記録するごとに記録管理情報４００が、４０１、４０２・・・・、４０３と追加されていく構成である。
【００２０】
図３は、管理情報の詳細を示す例であり、記録管理情報４００内には少なくとも、ファイル番号４１１，チャンネル，タイトル名も含むタイトル入力情報４１２，記録日時４１３，記録サイズ４１４，記録モード４１５，記録データの先頭アドレス４１６，視聴履歴を示すフラグ４１７が格納されている。視聴履歴フラグ４１７は、該等する管理情報のコンテンツが再生されたことにより、例えば０から１に設定可能とする。コンテンツの視聴に対しての判断は、該等コンテンツを再生したことにしてもよいし、記録サイズ４１４に格納されたサイズから一定量再生されたこととしても、構わず特に限定するものとしない。
【００２１】
記録モード４１５の一例としては、高画質なモードから順にＴＳ，ＸＰ，ＳＰ，ＬＰといった分類とする。図中の管理情報４０１，４０３，４０５，４０６は視聴履歴フラグ４１７が設定された例である。従って、一度は視聴されたコンテンツとして判断される。
【００２２】
（レコーダの具体的構成例）
図４は、記録再生装置１００の具体的な構成例を示すブロック図である。
図中１０１は地上波放送などを受信し、ベースバンドのビデオ信号を生成するためのチューナー部であり、切替部１０３を介して、ベースバンドのビデオ信号をＭＰＥＧ規格等を用いて高能率にディジタル圧縮符号化するエンコーダ１０４に供給する。該エンコーダにより得られたストリームは記録再生制御部１０５に供給される。切替部１０３の他方にはデコーダ１０７からの出力が接続される。
【００２３】
図中１０２は放送用衛星などの中継局からの電波を受信するチューナ部であり、ＲＦ帯域の電波はＩＦ帯域 (Intermediate Frequency) に周波数変換され、受信チャネルに依存しない一定の帯域の信号として、復調された後、ビットストリームに伝送のために施された変調操作を復調する。また、伝送途中で発生した符合の誤りを検出しさらには訂正した後、例えばＭＰＥＧ（Moving Picture Experts Group）規格を用いて高能率にディジタル圧縮されたストリームが得られる。
【００２４】
このストリームにつき伝送暗号の解除を行った後、プログラムが多重化されている１トランスポンダ周波数を選択し、この選択した１トランスポンダ内のビットストリームを１プログラムのオーディオとビデオのパケットに分離化する。該パケットは、記録再生制御部１０５とデコーダ１０７に供給される。
【００２５】
該記録再生制御部１０５は、メモリなどを具備し、記録メディア１０６へ記録する信号と記録メディアから再生した信号を時分割処理することにより、記録と再生を連続的に行うことを可能とする。また該記録再生制御部１０５は、入出力端子１１２を具備し、該入出力端子１１２に取り付けた可搬性の記録メディアの制御も可能とする。該記録再生制御部１０５から再生したディジタル信号もしくは、ディジタル放送受信部１０２、エンコーダ１０４から供給されるディジタル信号がデコーダ１０７に入力される。該デコーダ１０７は少なくとも２つ以上のディジタル信号をデコードするものであり、デコーダを２個に分割した構成でも構わない。該デコーダ１０７により、入力されたディジタル信号をデコードし、例えばビデオ信号については描画処理部１０８において、１画面あるいは２画面に同時描画処理等を施し、外部に出力端子１１１により接続されたディスプレイへ映像信号として出力する。制御部１０９は、該放送受信部，切替部，記録再生など各部の制御内容を司る、例えばマイクロプロセッサなどである。表示部１１０は制御部１０９の制御に対応した処理内容をユーザーに通知するものである。
また、表示部１１０は装置外部に接続する構成としてもよい。
【００２６】
（車載装置の具体的構成例）
図５は、車載装置３００の具体的な構成例を示すブロック図である。
同一機能のものにおいては、同一符合とし説明を省略する。
図中３０１は入力端子であり、例えばリモコン等から入力される赤外線受光部や、液晶ディスプレイから入力される圧力センサ等の信号がある。該入力端子３０１から入力された信号は入力処理部３０２にて、外部からの制御命令を制御部１０９に対し発行する。３０３はＧＰＳ（Global Positioning System ）部であり、現在位置を検出装置であり、制御部１０９により、現在位置を検出して出力する。この検出結果と記録媒体１０６に記録されている地図情報を元に描画処理部１０８を制御し、車等の現在地を表示する。３０４はオーディオ制御部であり、記録媒体１０６に記録された音声情報や受信部から得られた音声情報を再生する。
【００２７】
該車載装置３００には、該記録再生装置１００と同じく、記録再生制御部１０５と入出力端子１１２を具備する。
【００２８】
（レコーダ側制御の具体例）
次に、該記録再生装置１００で記録したコンテンツを該記録メディア２００に移動する動作フローを図６を用いて説明する。
該記録再生装置には、図３に示した管理情報とコンテンツが記録されていることとする。
【００２９】
まず該記録再生装置１００は、接続部１１２に記録メディア２００が接続されることを検出する（Ｓ１０２）。検出されるまでの間は他の機能が動作していても構わない。該接続部１１２に記録メディア２００が挿入されたことを検出すると、該記録再生制御部１０５により記録メディア２００の残量を確認する（Ｓ１０３）。
【００３０】
このとき、記録メディア２００と接続部１１２の接続をロックし、取り外しを不可能とすることにより、誤動作もしくは記録メディア２００及び１０６の故障を防ぐ効果がある。該記録メディア２００に空きが確認できると、記録メディア１０６に記録された管理情報を確認し（Ｓ１０４）、視聴履歴フラグ４１７により、未視聴のコンテンツを検索する（Ｓ１０５）。ここでは、ファイル番号０２，０４，０７のコンテンツが該当する。
【００３１】
この未視聴のコンテンツの容量とＳ１０３で検出した残量を比較し（Ｓ１０６）、該記録メディア２００の残容量が多い場合に限り、記録メディア１０６に記録されているコンテンツを記録再生制御部１０５により、入出力端子１１２を介し記録メディア２００に移動を開始する（Ｓ１０７）。記録メディア２００の残量が少ない場合は既存のコンテンツの上書きとなる為、残量不足の旨を表示部１１０に表示し（Ｓ１０８）処理を終了する（Ｓ１１１）。ここで、記録メディア２００の不要データを削除するよう促す表示を表示部１１０にしてもよい。
【００３２】
コンテンツの移動が終了すると（Ｓ１１０）、記録メディア２００の取り外し許可を表示部１１０に表示し（Ｓ１１０）処理を終了する（Ｓ１１１）。
【００３３】
（車載装置側制御の具体例）
次に、該記録メディア２００に移動したコンテンツを、該車載装置３００にて視聴する際の動作フローを図７を用いて説明する。
【００３４】
該車載装置３００側も該記録再生装置１００と同様に、記録メディア２００が該制御部１１２に接続されることを検出する（Ｓ２０２）。接続部１１２に該記録メディア２００が接続されたことが確認されると、該記録メディア２００に記録された管理情報を読み出す（Ｓ２０３）。該管理情報は図３の管理情報からファイル番号０２、０４、０７のみが抜き出された構成となっている。次にファイル番号若しくはタイトル情報を表示部１１０に表示し（Ｓ２０４）、ユーザーに視聴するコンテンツの選択を促す（Ｓ２０５）。ユーザーにより、例えばファイル番号０４のコンテンツが選択されると、記録再生制御部１０５によりコンテンツが再生され、デコーダ１０７、描画処理部１０８を介して、出力端子１１１に接続された外部表示部もしくは、表示部１１０に再生したコンテンツを表示する（Ｓ２０６）。その後コンテンツの再生が終わるか、ユーザーによる再生終了が入力されるまで再生を続け（Ｓ２０７）、終了になった時点でファイル番号０４の管理情報内の視聴履歴を視聴済みを示す例えば"1"に更新し、記録メディア２００に記録しなおす（Ｓ２０９）。管理情報を更新した後、記録メディア２００と接続部１１２との接続を開放し（Ｓ２０９）、処理を終了する（Ｓ２１０）。
【００３５】
この構成により、車載装置３００により視聴したコンテンツの視聴履歴を含む管理情報が更新される。
【００３６】
（車載装置で視聴後のレコーダ側制御の具体例）
次に、再度記録装置１００に記録メディア２００を接続した場合の処理内容を図８を用い説明する。
【００３７】
再度該記録再生装置１００の接続部１１２に記録メディア２００が接続されると（Ｓ３０２）、記録メディア２００の残量に加え、記録管理情報内の視聴履歴フラグを検索し（Ｓ３０３）、視聴済みのコンテンツの有無を確認する（Ｓ３０４）。検索結果が例えばファイル番号０４が視聴済みであった場合、記録メディア２００の残量を有効に使用するために記録再生装置１００に移動しなおす。まず、記録メディア１０６の残容量を確認し（Ｓ３０５）、記録メディア２００の視聴済みコンテンツとの容量を比較し（Ｓ３０６）、記録メディア１０６に空き容量がある場合は、視聴済みコンテンツを記録メディア１０６に移動する（Ｓ３０７）。このとき視聴済みコンテンツの管理情報も同時に記録しなおす。視聴済みコンテンツが無い場合もしくは、記録メディア１０６の容量が不足していた場合は、記録メディア２００からの移動は行わず、記録メディア１０６に記録された未視聴コンテンツの移動処理に移行する（Ｄ３１０）。視聴済みコンテンツの移動が終了した時点で同じく、記録メディア１０６に記録された未視聴コンテンツの移動処理に移行する（Ｄ３１０）。
【００３８】
このように視聴済みコンテンツの管理情報を異なる記録再生装置もしくは車載装置に適応することにより、ユーザーが意識せずに未視聴のコンテンツを例えば外出先で視聴することが可能となる。また、可搬性記録メディア２００の残量も自動で最適化できる。また、可搬性の記録メディアにカートリッジタイプのＨＤＤを使用することにより、コンテンツの移動にかかる時間も短縮できる。また、記録再生装置１００で有する記録メディア１０６の残容量の最適化機能において、車載装置３００で視聴した履歴が有効となる。
このように使い勝手のよい機能を備えた記録再生装置となる。
【実施例２】
【００３９】
(未視聴の番組を自動でムーブする機能)
前記実施例において、記録メディア２００から記録再生装置１００に移動するコンテンツをユーザーが設定できることにより、異なる効果が得られる。例えば、視聴履歴が未視聴のコンテンツを移動する設定した場合、記録再生装置１００には常に未視聴のコンテンツが格納されていることになる。この場合は、ユーザーが外出先にて未視聴のコンテンツを視聴しようと記録メディア２００に移動したが、視聴できずに帰宅し、記録再生装置１００で視聴使用とした場合に自動でコンテンツの移動を実施する為、ユーザーの使い勝手が向上する。
【実施例３】
【００４０】
(実施例1を備えた据え置きレコーダ)
図９は、記録再生装置１００と同じく制御部１１２を有し記録管理情報を更新可能な記録再生装置６００と記録再生装置１００との組み合わせたブロック図である。この構成においても同様な効果を得ることができる。
【００４１】
また図１０に示すように入出力部１１２を有した携帯端末装置と組み合わせても同様な効果を得ることができる。
【図面の簡単な説明】
【００４２】
【図１】本発明の第１の実施形態に係る記録再生装置の一実施形態を示すブロック図。
【図２】本発明の第１の実施形態に係る記録再生装置の記録管理情報の一実施形態を示す図。
【図３】本発明の第１の実施形態に係る記録再生装置の記録管理情報の一実施形態を示す図。
【図４】本発明の第１の実施形態に係る記録再生装置の一実施形態を示すブロック図。
【図５】本発明の第１の実施形態に係る記録再生装置の一実施形態を示すブロック図。
【図６】本発明の第１の実施形態に係る記録再生装置の制御方式を示すフロー図。
【図７】本発明の第１の実施形態に係る記録再生装置の制御方式を示すフロー図。
【図８】本発明の第１の実施形態に係る記録再生装置の制御方式を示すフロー図。
【図９】本発明の第２の実施形態に係る記録再生装置の一実施形態を示すブロック図。
【図１０】本発明の第３の実施形態に係る記録再生装置の一実施形態を示すブロック図。
【符号の説明】
【００４３】
１００、６００…記録再生装置，
１０１…地上放送受信部，
１０２…ディジタル放送受信部，
１０３…切替部，
１０４…エンコーダ，
１０５…記録再生制御部，
１０６、２００…記録メディア，
１０７…デコーダ，
１０８…描画処理部，
１０９…制御部，
１１０…表示部，
１１１…出力端子，
１１２…入出力端子，
３００…車載装置，
４００、４０１、４０２、４０３、４０４、４０５、４０６、４０７、４０８…記録管理情報，
４１１…ファイル番号欄，
４１２…タイトル欄，
４１３…日時欄，
４１４…サイズ欄，
４１５…記録モード欄，
４１６…記録アドレス欄，
４１７…視聴履歴欄，
７００…携帯端末装置
【図１】
2007184673.tif 000003
【図２】
2007184673.tif 000004
【図３】
2007184673.tif 000005
【図４】
2007184673.tif 000006
【図５】
2007184673.tif 000007
【図６】
2007184673.tif 000008
【図７】
2007184673.tif 000009
【図８】
2007184673.tif 000010
【図９】
2007184673.tif 000011
【図１０】
2007184673.tif 000012